(57)【要約】  【課題】第２開閉装置用下枠の固定作業の容易化を図れる固定部材を提供する。  【解決手段】固定部材23は、第１開閉装置用下枠であるサッシ下枠13の固定板部13aに固定する略垂直状の第１固定板部26を備える。固定部材23は、第２開閉装置用下枠であるシャッタ下枠25の固定板部25aを固定する略水平状の第２固定板部27を備える。第２固定板部27は、第１固定板部26の下端部にこの下端部から反サッシ下枠13側に向って突出するように一体に設ける。  【選択図】図１
2006104842.tif 000002
【特許請求の範囲】
【請求項１】
第１開閉装置用下枠に対して第２開閉装置用下枠を固定するための固定部材であって、
前記第１開閉装置用下枠に固定される第１固定板部と、
この第１固定板部に設けられ、前記第２開閉装置用下枠が固定される第２固定板部と
を備えることを特徴とする固定部材。
【請求項２】
第１開閉装置用下枠に対して第２開閉装置用下枠を固定するための固定部材であって、
前記第１開閉装置用下枠に固定される略垂直状の第１固定板部と、
この第１固定板部の下端部にこの下端部から前記第１開閉装置用下枠の側とは反対側に向って突出するように設けられ、前記第２開閉装置用下枠が固定される略水平状の第２固定板部と
を備えることを特徴とする固定部材。
【請求項３】
建物水切部上に載せられた状態で建物外壁部に固定されるふかし部材と、
建物躯体部に固定された第１開閉装置用下枠に固定される固定部材と、
前記固定部材に前記ふかし部材と当接した状態で固定される第２開閉装置用下枠とを具備し、
前記固定部材は、
前記第１開閉装置用下枠に固定される第１固定板部と、
この第１固定板部に設けられ、前記第２開閉装置用下枠が固定される第２固定板部とを備える
ことを特徴とする枠装置。
【請求項４】
建物水切部上に載せられた状態で建物外壁部に固定されるふかし部材と、
建物躯体部に固定された第１開閉装置用下枠に固定される固定部材と、
前記固定部材に前記ふかし部材と当接した状態で固定される第２開閉装置用下枠とを具備し、
前記固定部材は、
前記第１開閉装置用下枠に固定される略垂直状の第１固定板部と、
この第１固定板部の下端部にこの下端部から前記第１開閉装置用下枠の側とは反対側に向って突出するように設けられ、前記第２開閉装置用下枠が固定される略水平状の第２固定板部とを備える
ことを特徴とする枠装置。
【発明の詳細な説明】
【技術分野】
【０００１】
本発明は、第１開閉装置用下枠に対する第２開閉装置用下枠の固定作業の容易化を図ることができる固定部材および枠装置に関するものである。
【背景技術】
【０００２】
従来、例えばサッシ下枠等の第１開閉装置用下枠に予め係止部を設けておき、この係止部に対して取付け部材を介してシャッタ下枠等の第２開閉装置用下枠を取り付けるようにした建造物用枠部材の取付構造が知られている（例えば、特許文献１参照）。
【特許文献１】特開平３−１２２３８８号公報
【発明の開示】
【発明が解決しようとする課題】
【０００３】
しかしながら、上記従来の構造では、取付け部材を第１開閉装置用下枠の係止部に係止する作業に手間取り、第１開閉装置用下枠に対する第２開閉装置用下枠の固定作業が煩雑となるおそれがある。
【０００４】
本発明は、このような点に鑑みなされたもので、第１開閉装置用下枠に対する第２開閉装置用下枠の固定作業の容易化を図ることができる固定部材および枠装置を提供することを目的とする。
【課題を解決するための手段】
【０００５】
請求項１記載の固定部材は、第１開閉装置用下枠に対して第２開閉装置用下枠を固定するための固定部材であって、前記第１開閉装置用下枠に固定される第１固定板部と、この第１固定板部に設けられ、前記第２開閉装置用下枠が固定される第２固定板部とを備えるものである。
【０００６】
そして、第１開閉装置用下枠に対する第２開閉装置用下枠の固定作業の容易化が図られ、よって例えば第２開閉装置の取付作業性が向上する。
【０００７】
請求項２記載の固定部材は、第１開閉装置用下枠に対して第２開閉装置用下枠を固定するための固定部材であって、前記第１開閉装置用下枠に固定される略垂直状の第１固定板部と、この第１固定板部の下端部にこの下端部から前記第１開閉装置用下枠の側とは反対側に向って突出するように設けられ、前記第２開閉装置用下枠が固定される略水平状の第２固定板部とを備えるものである。
【０００８】
そして、第１開閉装置用下枠に対する第２開閉装置用下枠の固定作業の容易化が図られ、よって例えば第２開閉装置の取付作業性が向上する。
【０００９】
請求項３記載の枠装置は、建物水切部上に載せられた状態で建物外壁部に固定されるふかし部材と、建物躯体部に固定された第１開閉装置用下枠に固定される固定部材と、前記固定部材に前記ふかし部材と当接した状態で固定される第２開閉装置用下枠とを具備し、前記固定部材は、前記第１開閉装置用下枠に固定される第１固定板部と、この第１固定板部に設けられ、前記第２開閉装置用下枠が固定される第２固定板部とを備えるものである。
【００１０】
そして、第１開閉装置用下枠に対する第２開閉装置用下枠の固定作業の容易化が図られ、よって例えば第２開閉装置の取付作業性が向上する。
【００１１】
請求項４記載の枠装置は、建物水切部上に載せられた状態で建物外壁部に固定されるふかし部材と、建物躯体部に固定された第１開閉装置用下枠に固定される固定部材と、前記固定部材に前記ふかし部材と当接した状態で固定される第２開閉装置用下枠とを具備し、前記固定部材は、前記第１開閉装置用下枠に固定される略垂直状の第１固定板部と、この第１固定板部の下端部にこの下端部から前記第１開閉装置用下枠の側とは反対側に向って突出するように設けられ、前記第２開閉装置用下枠が固定される略水平状の第２固定板部とを備えるものである。
【００１２】
そして、第１開閉装置用下枠に対する第２開閉装置用下枠の固定作業の容易化が図られ、よって例えば第２開閉装置の取付作業性が向上する。
【発明の効果】
【００１３】
本発明によれば、第１開閉装置用下枠に対する第２開閉装置用下枠の固定作業の容易化を図ることができ、よって例えば第２開閉装置の取付作業性の向上を図ることができる。
【発明を実施するための最良の形態】
【００１４】
本発明の一実施の形態を図面を参照して説明する。
【００１５】
図１ないし図３において、１は住宅等の建物で、この建物１は建物躯体部２を備えている。そして、建物躯体部２からバルコニの床部（張出床部）３が外側に向って張り出しており、この床部３上には防水シートおよびモルタル等にて構成された防水層部４が設けられている。なお、防水層部４は立上り部５を有し、この立上り部５は建物躯体部２に固定された突出状の建物水切部６の下方に配設され、立上り部５の上端部が建物水切部６の下方近傍に位置する。
【００１６】
そして、建物１の建物躯体部２に形成された開口部８が、屋内側の第１開閉装置であるサッシ装置９と屋外側の第２開閉装置であるシャッタ装置10とにて開閉可能となっている。
【００１７】
サッシ装置９は、建物躯体部２に固定された略矩形環状のサッシ枠体11と、このサッシ枠体11に左右方向に移動可能に設けられた複数の戸体（図示せず）とを備えている。
【００１８】
サッシ枠体11は、上下方向長手状の左右一対のサッシ縦枠12を有し、両サッシ縦枠12の下端部相互が左右方向長手状の第１開閉装置用下枠であるサッシ下枠13にて連結され、両サッシ縦枠12の上端部相互が左右方向長手状のサッシ上枠（図示せず）にて連結されている。
【００１９】
シャッタ装置10は、例えば後付けタイプのシャッタ、つまり建物１の施工後に取付け可能な構成となっている。
【００２０】
そして、シャッタ装置10は、互いに離間対向した上下方向長手状の左右一対のふかし部材（スペーサ部材）21を備えている。ふかし部材21は、例えば断面略矩形状の筒状部材にて構成され、建物水切部６上に載せられた状態で建物外壁部７に固定されている。
【００２１】
また、シャッタ装置10は、建物躯体部２に固定されたサッシ下枠13に固定具であるねじ22にて固定された左右方向長手状の固定部材（窓シャッタ水切固定部材等）23と、この固定部材23に長手方向両端部がふかし部材21の下端部と当接した状態で固定具であるねじ24にて固定された左右方向長手状の第２開閉装置用下枠であるシャッタ下枠（窓シャッタ水切等）25とを備えている。
【００２２】
ここで、固定部材23は、例えば幅方向中間の１箇所で略直角に折り曲げられた１枚の板状部材にて構成されている。
【００２３】
そして、この固定部材23は、サッシ下枠13の固定板部13aにねじ22にて面接触で固定された略垂直状の第１固定板部26と、第１固定板部26の下端部にこの下端部からサッシ下枠13の側とは反対側つまり外側である室外側に向って突出するように一体に設けられシャッタ下枠25の固定板部25aがねじ24にて面接触で固定された略水平状の第２固定板部27とを有している。なお、略水平状の第２固定板部27は、左右方向に長手状のもので、前後方向である幅方向の一端である先端ほど下方に位置するようにやや傾斜している。
【００２４】
さらに、シャッタ装置10は、互いに離間対向した上下方向長手状の左右一対のガイド枠（窓シャッタ外枠等）31を備えている。ガイド枠31は、断面略コ字状のガイド部32で開閉体であるシャッタカーテン（図示せず）を案内するもので、対応するふかし部材21に固定具であるねじ33にて固定されている。
【００２５】
なお、図示しないが、シャッタ装置10は、まぐさ、シャッタボックスおよび巻取軸等を備えている。また、ふかし部材21、固定部材23、シャッタ下枠25、ガイド枠31およびねじ22，24，33等にて、シャッタ装置10用の枠装置35が構成されている。
【００２６】
次に、上記シャッタ装置10の後付け作業について説明する。
【００２７】
例えば建物１のリフォームの際に、バルコニの床部３上にシャッタ装置10を設ける場合、まず、ふかし部材21を建物水切部６上に載せ、この状態でふかし部材21を建物外壁部７に固定する。
【００２８】
次いで、固定部材23の第１固定板部26をサッシ下枠13の固定板部13aにねじ22にて固定する。このとき、固定部材23の第１固定板部26の所望位置およびサッシ下枠13の固定板部13aの所望位置に、ねじ22を差し込むための孔部36を形成する。
【００２９】
なお、図示しないが、サッシ下枠13に対する固定部材23の上下位置調節が可能となるように、固定部材23の第１固定板部26の孔部36およびサッシ下枠13の固定板部13aの孔部36のいずれか一方を上下方向長手状に形成してもよい。
【００３０】
次いで、シャッタ下枠25の左右両端部と左右のふかし部材21の下端部とを面接触で当接させ、この状態でシャッタ下枠25の固定板部25aを固定部材23の第２固定板部27にねじ24にて固定する。このとき、固定部材23の第２固定板部27の所望位置およびシャッタ下枠25の固定板部25aの所望位置に、ねじ24を差し込むための孔部37を形成する。
【００３１】
なお、図示しないが、固定部材23に対するシャッタ下枠25の前後位置調節が可能となるように、固定部材23の第２固定板部27の孔部37およびシャッタ下枠25の固定板部25aの孔部37のいずれか一方を前後方向長手状に形成してもよい。
【００３２】
その後、ガイド枠31をねじ33にてふかし部材21に固定する等してシャッタ装置10の後付け作業を完了する。
【００３３】
そして、上記シャッタ装置10によれば、きわめて簡単な構成の固定部材23およびふかし部材21を用いることで、サッシ下枠13に対するシャッタ下枠25の固定作業の容易化を図ることができるため、シャッタ装置10の取付作業性の向上を図ることができる。
【００３４】
特に、例えばシャッタ装置10をバルコニの床部３上に後付けする場合において、防水層部４の立上り部５に孔部を形成してシャッタ下枠25を建物躯体部２に固定する必要がなく、また建物水切部６を取り外したりこの建物水切部６を一部切断したりしてシャッタ下枠25を建物躯体部２に固定する必要もない。
【００３５】
このため、防水層部４および建物水切部６をそのままにした状態で、枠装置35のシャッタ下枠25をサッシ下枠13に固定部材23を介して容易に固定でき、かつ、枠装置35のガイド枠31を建物外壁部７の所望部位にふかし部材21を介して容易に固定でき、よって、シャッタ装置10の後付け作業を効率的に行なうことができる。
【００３６】
なお、固定部材23等に形成する円孔や長孔等の孔部36，37は、予め工場で形成するようにしてもよい。
【００３７】
また、固定部材23等にて構成される枠装置35は、バルコニ或いはベランダの床部３上にシャッタ装置10を後付けする場合に適しているが、床部３上以外の位置にシャッタ装置10等の第２開閉装置を後付けする場合にも適用できる。
【００３８】
さらに、第１開閉装置がサッシ装置９で、第２開閉装置がシャッタ装置10である場合には限定されず、各開閉装置は、雨戸装置、ブラインド装置、スライディングウォール装置、スクリーン装置、網戸装置、ガラリ装置、防煙垂れ幕装置、防煙垂れ壁装置、防潮板装置、オーニング装置等、或いはこれら装置のうちの同種または異種を複数並設したもの等でもよい。
【００３９】
また、固定部材23が略垂直状の第１固定板部26および略水平状の第２固定板部27を有するとして説明したが、ここでいう略垂直状とは第１固定板部26が厳格な意味で垂直方向に沿って位置する場合に加え、垂直方向に対してやや傾斜して位置する場合も含む意味であり、ここでいう略水平状とは第２固定板部27が厳格な意味で水平方向に沿って位置する場合に加え、水平方向に対してやや傾斜して位置する場合も含む意味である。
【００４０】
さらに、固定部材23は、第１固定板部26の下端部に第２固定板部27を一体に設けたものには限定されず、第１固定板部26の下端部に別体の第２固定板部27を直接取り付けたものや、第１固定板部26に別体の第２固定板部27を連結板部を介して取り付けたもの等でもよい。
【図面の簡単な説明】
【００４１】
【図１】本発明の枠装置の一実施の形態を示す分解斜視図である。
【図２】同上枠装置の組立て状態における縦断面図である。
【図３】同上枠装置の組立て状態における横断面図である。
【符号の説明】
【００４２】
２    建物躯体部
６    建物水切部
７    建物外壁部
13    第１開閉装置用下枠であるサッシ下枠
21    ふかし部材
23    固定部材
25    第２開閉装置用下枠であるシャッタ下枠
26    第１固定板部
27    第２固定板部
35    枠装置
【図１】
2006104842.tif 000003
【図２】
2006104842.tif 000004
【図３】
2006104842.tif 000005